(57)【要約】      （修正有）【課題】ボールペンとの交互使用時の持ち替えの煩雑さを解消し、タッチペンとしての使い心地や使用時の安定性が向上したボールペン付きタッチペンを提供する。【解決手段】導電性を有し、後端にボールペン出没用のノック部１５が突出して設けられた軸筒１２と、該軸筒１２の先端に設けられて中心部に挿通孔を有し、導電性を有する弾性材で形成されるタッチペン部材１３と、軸筒１２の長手方向に沿って挿通し、先端にペン先１８を有するボールペン部材と、を少なくとも備えるボールペン付きタッチペン１１であって、ノック部１５を押圧すると、ボールペン部材のペン先１８がタッチペン部材１３の挿通孔から突出し又は没入する構成である。【選択図】図１
0003183919.tif 000002
【実用新案登録請求の範囲】
【請求項１】
導電性を有し、後端にボールペン出没用のノック部が突出して設けられた軸筒と、
該軸筒の先端に設けられて中心部に挿通孔を有し、導電性を有する弾性材で形成されるタッチペン部材と、
前記軸筒の長手方向に沿って挿通し、先端にペン先を有するボールペン部材と、
を少なくとも備えるボールペン付きタッチペンであって、
前記ノック部を押圧すると、前記ボールペン部材の前記ペン先が前記タッチペン部材の前記挿通孔から突出し又は没入する構成であること
を特徴とするボールペン付きタッチペン。
【請求項２】
前記タッチペン部材の内側には、導電性を有する保持部材が連設されており、該保持部材の一部が前記軸筒の外周面に沿って延出していること
を特徴とする請求項１に記載のボールペン付きタッチペン。
【考案の詳細な説明】
【技術分野】
【０００１】
本考案は、情報端末機器の静電容量方式の液晶タッチパネルを押圧してデータを出入力するボールペン付きタッチペンに関するものである。
【背景技術】
【０００２】
従来、例えばｉＰｈｏｎｅ（登録商標）等のような静電容量方式の液晶タッチパネルを備えた情報端末機器に使用する、ボールペン付きのタッチペンとしては、次のような構成の筆記具が知られている。この筆記具は、軸筒の先端にボールペンのペン先が出入自在に設けられており、後端には筒状のカバーに収納されたタッチペンが出没自在に設けられた構成である（特許文献１参照）。
【０００３】
このような構成の筆記具は、ボールペンとして使用するときは先端のペン先を突出させて用い、使用しないときはペン先を軸筒に収納しておく。また、タッチペンとして使用するときには、軸筒の上下方向を持ち替えて把持し、タッチペンをカバーから突出させて用い、使用後にはタッチペンをカバーに収納する。
【先行技術文献】
【特許文献】
【０００４】
【特許文献１】特開２０１２−１５３０８７号公報
【考案の概要】
【考案が解決しようとする課題】
【０００５】
この従来例の筆記具においては、ボールペンとしての使い心地や筆記時の安定性を重視することから、重心位置を軸筒のボールペン側（下方側）に設けてある。従って、タッチペンとして使用するときには、重心位置が軸筒の上方に位置することとなり、使い心地や安定性が悪くなるという欠点を有している。
【０００６】
また、ボールペンとタッチペンとを交互に繰り返して使用する場合には、軸筒の上下方向の持ち替えをその度ごとに行う必要があり、煩雑であって使い勝手が悪いという欠点も有している。
【０００７】
更に、タッチペンはカバーに収納されるので、使用時にはいちいち突出させなければならないので面倒である。また、その製造時においては、カバー取付の作業手間や部品点数の増加による製造コストの上昇を招くという問題点も有している。
【０００８】
従って、従来例におけるボールペン付きのタッチペンおいては、タッチペンとしての使い心地や安定性を向上することと、ボールペンとタッチペンとを交互に使用する際の持ち替えの煩雑さを解消することと、製造コストの上昇を防ぐこととに解決しなければならない課題を有している。
【課題を解決するための手段】
【０００９】
前記従来例の課題を解決するための本考案の要旨は、導電性を有し、後端にボールペン出没用のノック部が突出して設けられた軸筒と、該軸筒の先端に設けられて中心部に挿通孔を有し、導電性を有する弾性材で形成されるタッチペン部材と、前記軸筒の長手方向に沿って挿通し、先端にペン先を有するボールペン部材と、を少なくとも備えるボールペン付きタッチペンであって、前記ノック部を押圧すると、前記ボールペン部材の前記ペン先が前記タッチペン部材の前記挿通孔から突出し又は没入する構成であることである。
【００１０】
また、前記タッチペン部材の内側には、導電性を有する保持部材が連設されており、該保持部材の一部が前記軸筒の外周面に沿って延出していること、；
を含むものである。
【考案の効果】
【００１１】
本考案に係るボールペン付きタッチペンによれば、ノック部を押圧するとボールペン部材のペン先がタッチペン部材の挿通孔から突出し又は没入する構成であることによって、ペン先とタッチペン部材とが軸筒の先端側に位置する。従って、重心位置を軸筒の先端側に設けることにより、ボールペンだけでなくタッチペンとしての使い心地や使用時の安定性を向上させることができる。
また、ボールペンとタッチペンとを交互に使用する場合には、従来例のように軸筒の上下方向の持ち替えを行う必要がないので、使い勝手が良好である。
更に、従来例のようなタッチペン部材を収納するカバーが存在しないので、その分の取付手間や部品点数の増加による製造コストの上昇を抑えることができるという種々の優れた効果を奏する。
【００１２】
また、タッチペン部材の内側には、導電性を有する保持部材が連設されており、該保持部材の一部が軸筒の外周面に沿って延出していることによって、軸筒を把持して保持部材の一部に手指が直接触れることで、手指とタッチペン部材との導電性が良好に確保されるという優れた効果を奏する。
【図面の簡単な説明】
【００１３】
【図１】（イ）（ロ）本考案に係るボールペン付きタッチペン１１の正面図である。
【図２】（ハ）（ニ）本考案に係るボールペン付きタッチペン１１の側面図である。
【図３】（ホ）（ヘ）本考案に係るボールペン付きタッチペン１１の斜視図である。
【図４】ペン先１８がタッチペン部材１３の挿通孔１３ａに没入した状態を示す、要部の拡大断面図である。
【図５】ペン先１８がタッチペン部材１３の挿通孔１３ａから突出した状態を示す、要部の拡大断面図である。
【考案を実施するための形態】
【００１４】
次に、本考案の実施の形態について図面を参照しながら説明する。まず、図１（イ）（ロ）から図５において、符号１１はボールペン付きタッチペンを示し、このボールペン付きタッチペン１１は、軸筒１２と、軸筒１２の先端に設けられるタッチペン部材１３と、軸筒１２の長手方向に沿って挿通するボールペン部材１４（図４及び図５参照）とから構成される。
【００１５】
軸筒１２は、導電性を有するＡＢＳ樹脂材等の合成樹脂材、又は金属材で形成されている。要するに、導電性を有して、把持した手指とタッチペン部材１３との導電性が確保できる材料であれば良く、そのような材質のものから適宜の材料が選択される。
【００１６】
軸筒１２の後端には、ボールペン出没用の押圧自在なノック部１５が突出して設けられている。ノック部１５の近傍には、係止用のクリップ１６が設けられている。また、軸筒１２の先端には、筒状の先軸１２ａが設けられている。
【００１７】
タッチペン部材１３は、図４及び図５に示すように、膨出したドーム状に形成されており、中心部に挿通孔１３ａが形成されている。また、タッチペン部材１３は、導電性を有する弾性材で形成されており、この弾性材を具体的に上げると、導電性を有するシリコン樹脂材、ゴム材、プラスチック材、あるいはスポンジ材等の適宜の材料が選択される。
【００１８】
タッチペン部材１３の内側には、図４及び図５に示すように、導電性を有する筒状の保持部材１７が連設されている。保持部材１７は、先軸１２ａの内側に沿うと共に、その一部１７ａが軸筒１２の外周面に沿って延出している。このような構造であることによって、軸筒１２を把持して保持部材１７の一部１７ａに手指が直接触れることで、手指とタッチペン部材１３との導電性が良好に確保されることとなる。
【００１９】
ボールペン部材１４は、図４及び図５に示すように、先端にペン先１８を有し、ペン先１８の後端側には、ボールペン軸１９が設けられている。ペン先１８とボールペン軸１９との接続部分の近傍には、バネ材２０が配設されている。
【００２０】
また、ボールペン軸１９の後端側には、回転カム等からなる従来周知の出没機構（図示せず）が設けられており、ノック部１５を押圧すると当該出没機構が作動して、ペン先１８がタッチペン部材１３から突出し（図５参照）又は没入する（図４参照）構成になっている。出没機構の後端側とノック部１５の先端側とが連接している（図示せず）。
【００２１】
以上のように構成されるボールペン付きタッチペン１１は、ノック部１５を押圧するとボールペン部材１４のペン先１８がタッチペン部材１３の挿通孔１３ａから突出し又は没入する構成である。従って、ペン先１８とタッチペン部材１３とが軸筒１２の先端側に位置するので、重心位置を軸筒１２の先端側に設けることによって、ボールペンだけでなくタッチペンとしての使い心地や安定性が向上する。
【００２２】
また、ボールペンとタッチペンとを交互に使用する場合には、従来例のように軸筒１２の上下方向の持ち替えを行う必要がないので、使い勝手が良好である。
【符号の説明】
【００２３】
１１  ボールペン付きタッチペン
１２  軸筒
１２ａ  先軸
１３  タッチペン部材
１３ａ  挿通孔
１４  ボールペン部材
１５  ノック部
１６  クリップ
１７  保持部材
１７ａ  一部
１８  ペン先
１９  ボールペン軸
２０  バネ材
【図１】
0003183919.tif 000003
【図２】
0003183919.tif 000004
【図３】
0003183919.tif 000005
【図４】
0003183919.tif 000006
【図５】
0003183919.tif 000007